(57)【要約】  【課題】前後方向にスタッキング可能な椅子において、スタッキング時における緩衝機能を発揮し得るとともに他の椅子のスタッキング姿勢を好適に保持し得る椅子を提供する。  【解決手段】着座者が着座可能な使用姿勢と床面に対して起立した収納姿勢との間で回動可能に構成された座と、この座を支持し得る支持体とを備えてなり、同一構造をなす他の椅子Ａ’を前記床面上において前後方向にスタッキング可能に構成した椅子Ａであって、前記支持体に、スタッキング状態において前記他の椅子Ａ’の支持体が当接し当該他の椅子Ａ’における前方向又は後方向の移動及び左右方向の移動を規制し得る当接傾斜面ｒを有したダンパーＧを設けている。【選択図】図１２
2019063167.tif 000002
【特許請求の範囲】
【請求項１】
着座者が着座可能な使用姿勢と床面に対して起立した収納姿勢との間で回動可能に構成された座と、この座を支持し得る支持体とを備えてなり、同一構造をなす他の椅子を前記床面上において前後方向にスタッキング可能に構成した椅子であって、
前記支持体に、スタッキング状態において前記他の椅子の支持体が当接し当該他の椅子における前方向又は後方向の移動及び左右方向の移動を規制し得る当接傾斜面を有したダンパーを設けている椅子。
【請求項２】
前記支持体が、左右に対をなす後脚を備えたものであり、
前記ダンパーが、前記後脚の内面にそれぞれ取り付けられている請求項１記載の椅子。
【請求項３】
前記当接傾斜面が、内側を向いており、且つ、下方に向かって漸次外側に位置するように設定されている請求項１又は２記載の椅子。
【請求項４】
前記ダンパーが上下方向に延びてなる形状をなしており、
前記当接傾斜面を有した移動規制部と、この移動規制部の下に配された緩衝部とを備えてなり、
前記緩衝部が、スタッキング過程において前記他の椅子における支持体に当接し得るものである請求項１、２又は３記載の椅子。
【請求項５】
前記ダンパーが、前記移動規制部の上に配されてなり上端面が前記支持体に設けられた下向面に当接し得る位置決め部を備えている請求項４記載の椅子。
【発明の詳細な説明】
【技術分野】
【０００１】
本発明は、オフィス等において好適に使用される椅子に関する。
【背景技術】
【０００２】
従来から、着座者が着座可能な使用姿勢と床面に対して起立した収納姿勢との間で回動可能に構成された座と、この座を支持し得る支持体とを備えてなり、同一構造をなす他の椅子を床面上において前後方向にスタッキング可能に構成した椅子が種々知られている（例えば、特許文献１を参照）。
【０００３】
従来の椅子には、支持体に合成樹脂により形成されたダンパーを取り付けているものが存在する。
【０００４】
ところが、従来のダンパーは、スタッキング時における他の椅子との瞬間的な衝突によって生じ得る衝撃や衝突音を緩和する目的にのみ供するものとなっていた。
【先行技術文献】
【特許文献】
【０００５】
【特許文献１】特開２０１４−１０４０１７号公報
【発明の概要】
【発明が解決しようとする課題】
【０００６】
本発明は、以上のような事情に着目してなされたもので、前後方向にスタッキング可能な椅子において、スタッキング時における緩衝機能を発揮し得るとともに他の椅子のスタッキング姿勢を好適に保持し得る椅子を提供することにある。
【課題を解決するための手段】
【０００７】
すなわち、本発明は次の構成をなしている。
【０００８】
請求項１に記載の発明は、着座者が着座可能な使用姿勢と床面に対して起立した収納姿勢との間で回動可能に構成された座と、この座を支持し得る支持体とを備えてなり、同一構造をなす他の椅子を前記床面上において前後方向にスタッキング可能に構成した椅子であって、前記支持体に、スタッキング状態において前記他の椅子の支持体が当接し当該他の椅子における前方向又は後方向の移動及び左右方向の移動を規制し得る当接傾斜面を有したダンパーを設けている椅子である。
【０００９】
請求項２に記載の発明は、前記支持体が、左右に対をなす後脚を備えたものであり、前記ダンパーが、前記後脚の内面にそれぞれ取り付けられている請求項１記載の椅子である。
【００１０】
請求項３に記載の発明は、前記当接傾斜面が、内側を向いており、且つ、下方に向かって漸次外側に位置するように設定されている請求項１又は２記載の椅子である。
【００１１】
請求項４に記載の発明は、前記ダンパーが上下方向に延びてなる形状をなしており、前記当接傾斜面を有した移動規制部と、この移動規制部の下に配された緩衝部とを備えてなり、前記緩衝部が、スタッキング過程において前記他の椅子における支持体に当接し得るものである請求項１、２又は３記載の椅子である。
【００１２】
請求項５に記載の発明は、前記ダンパーが、前記移動規制部の上に配されてなり上端面が前記支持体に設けられた下向面に当接し得る位置決め部を備えている請求項４記載の椅子である。
【発明の効果】
【００１３】
以上説明したように本発明によれば、前後方向にスタッキング可能な椅子において、スタッキング時における緩衝機能を発揮し得るとともに他の椅子のスタッキング姿勢を好適に保持し得る椅子を提供することができる。
【図面の簡単な説明】
【００１４】
【図１】本発明の一実施形態を示す斜視図。
【図２】同実施形態における正面図。
【図３】同実施形態における背面図。
【図４】同実施形態における右側面図。
【図５】同実施形態における平面図。
【図６】同実施形態における底面図。
【図７】同実施形態における斜視図。
【図８】同実施形態における右側面図。
【図９】同実施形態における分解斜視図。
【図１０】同実施形態における部分拡大斜視図。
【図１１】同実施形態におけるダンパーの説明用の部分拡大正面図。
【図１２】同実施形態におけるダンパーの説明用の部分拡大背面図。
【発明を実施するための形態】
【００１５】
以下、本発明の一実施形態を、図１〜１２を参照して説明する。
【００１６】
この実施形態は、本発明を、同一構造をなす他の椅子Ａ’を床面上において前後方向にスタッキング可能に構成した椅子Ａに適用したものである。
【００１７】
椅子Ａは、アルミダイキャストにより形成された脚構成部材Ｅを有した支持体Ｂと、支持体Ｂに回動可能に支持された座Ｃと、支持体Ｂに支持された背板Ｄとを備えている。以下、各構成について詳述する。
【００１８】
＜＜支持体Ｂ＞＞
支持体Ｂは、左右に対をなし射出成型であるアルミダイキャストにより形成された左右の脚構成部材Ｅと、これら左右の脚構成部材Ｅ間に介在し当該脚構成部材Ｅ同士を連結するジョイント材Ｈとを備えている。
【００１９】
＜脚構成部材Ｅ＞
左右の脚構成部材Ｅは、互いに対称形状をなしている。左右の脚構成部材Ｅは、アルミダイキャストにより一体的に形成されている。左右の脚構成部材Ｅは、後脚１と、後脚１の上端部から前側に向かって一体的に延設された前脚２と、前脚２の長手方向中間部に前内方に向けて突設されたジョイント部３とを備えている。後脚１の下端と前脚２の下端にはキャスタＦが設けられている。左右の後脚１の内面には、スタッキング時において後方から進入する他の椅子Ａ’との緩衝機能及び他の椅子Ａ’との位置決め機能を発揮し得る合成樹脂製のダンパーＧが設けられている。
【００２０】
後脚１は、上下方向に延びてなるものである。後脚１は、側面視において前傾した姿勢で上下方向に延びてなる。後脚１は、正面視及び背面視において下部が上部よりも外側に位置するように傾斜した姿勢をなしている。後脚１の上端部には、上方に突出した背板接続部Ｎが設けられている。背板接続部Ｎは、背板Ｄの延出部Ｍに下向きに形成された図示しない嵌合穴に内嵌する形状をなしている。換言すれば、背板Ｄは、脚構成部材Ｅに設けられた背板接続部Ｎに外嵌する。そして、延出部Ｍに設けられたねじ挿通孔ｍ１を挿通したねじｖ１により脚構成部材Ｅの背板接続部Ｎに止着される。後脚１の上部の表出面は、背板Ｄにおける延出部Ｍの表出面と面一になるように設定されている。
【００２１】
前脚２は、側面視において後傾した姿勢で直線状に延びてなる傾斜前脚部２１と、前後方向に延びてなり傾斜前脚部２１の上端部と後脚１の上端部との間を繋ぐ上前脚部２２とを備えている。前脚２において、傾斜前脚部２１は前部に位置し、上前脚部２２は後部に位置するものとなっている。前脚２は、正面視及び背面視において下部が上部よりも内側に位置するように傾斜した姿勢をなしている。側面視における傾斜前脚部２１の幅寸法は、側面視における上前脚部２２の幅寸法よりも短い（小さい）寸法に設定されている。図９に示すように、前脚２は、その上部に位置する上前脚部２２の内面側に、座Ｃを回動可能に支持し得る保持部２２１を設けている。保持部２２１は、内方に開放された有底の穴形状をなしている。保持部２２１には、座Ｃを枢支するための軸部材Ｐの一端部が入り込み当該軸部材Ｐが取り付けられるようになっている。前脚２の基端部の下方、すなわち、上前脚部２２の下方における後脚１の内側に、ダンパーＧの上向面が当接し得る下向面２２２が形成されている。
【００２２】
ジョイント部３は、前脚２の長手方向中間部、より具体的に言えば、前脚２の傾斜前脚部２１における上部の内面側から突設されている。ジョイント部３は、側面視において傾斜前脚部２１から略水平に前方に延びてなる。ジョイント部３は、正面視において略水平に内方に向かって延びてなる。ジョイント部３は、底面視において斜め前方に向かって延びてなる。ジョイント部３は、その先端部分３１に左右方向に貫通したねじ挿通孔３１１を備えている。ジョイント部３の先端部分３１は、ジョイント材Ｈに嵌合し得る形状をなしている。ジョイント部３の先端部分３１は、ジョイント材Ｈの端部に設けられた凹陥部ｈ１に内嵌めされる。そして、ジョイント部３を有した脚構成部材Ｅは、当該ジョイント部３における先端部分３１に設けられたねじ挿通孔３１１に外側から挿通された止着具であるねじｖ２により、ジョイント材Ｈと連結するようになっている。
【００２３】
なお、ジョイント材Ｈと脚構成部材Ｅとを連結するねじｖ２は、他の椅子Ａ’との緩衝機能を兼ねたカバーＩにより隠蔽されている。
【００２４】
カバーＩは、ジョイント部３における先端部分３１の前側に位置する前カバー部ｉ１と、ジョイント部３における先端部分３１の外側に位置しねじ挿通孔３１１及びねじｖ２を被覆する外側カバー部ｉ２とを一体的に備えた平面視略Ｌ字状をなすものである。
【００２５】
ダンパーＧは、座Ｃ及び背板Ｄを支持する支持体Ｂに設けられたものである。ダンパーＧは、脚構成部材Ｅを構成する左右の後脚１の内面にそれぞれ取り付けられている。
【００２６】
ダンパーＧは、スタッキング状態において後方から接近した他の椅子Ａ’の支持体Ｂが当接し当該他の椅子Ａ’における前方向の移動及び左右方向の移動を規制し得る当接傾斜面ｒを有したものである。当接傾斜面ｒは、内側を向いており、且つ、下方に向かって漸次外側に位置するように設定されている。
【００２７】
ダンパーＧは、上下方向に延びてなる形状をなしている。ダンパーＧは、当接傾斜面ｒを有した移動規制部ｇ２と、移動規制部ｇ２の下に配された緩衝部ｇ３と、移動規制部ｇ２の上に配されてなり上端面が支持体Ｂに設けられた下向面２２２に当接し得る位置決め部ｇ１とを備えている。緩衝部ｇ３は、スタッキング過程において後方から進入した他の椅子Ａ’における支持体Ｂの前脚２に当接し得るものである。
【００２８】
＜ジョイント材Ｈ＞
ジョイント材Ｈは、左右方向に延びてなる角柱状をなすものである。ジョイント材Ｈは、座Ｃを下から支持し得る座受として機能し得るものである。ジョイント材Ｈは、左右方向に延びてなる略四角柱状をなしている。ジョイント材Ｈは、略水平をなす上向面ｈ３を有している。ジョイント材Ｈの上向面ｈ３には、使用姿勢（Ｕ）における座Ｃの横架フレーム部７の下面が当接するようになっている。ジョイント材Ｈは、左右両端部に外側方から挿通されたねじｖ２が螺合し得るナット部ｈ２を備えている。ジョイント材Ｈは、脚構成部材Ｅに設けたジョイント部３に対してねじｖ２により取り付けられている。
【００２９】
＜＜座Ｃ＞＞
座Ｃは、着座面が上側を向き着座者が着座可能な使用姿勢（Ｕ）と、床面に対して起立した収納姿勢（Ｓ）との間で回動可能に構成されたものである。座Ｃは、軸部材Ｐを介して支持体Ｂにおける前脚２の上前脚部２２に回動可能に支持されている。
【００３０】
座Ｃは、張地５を座枠４により支持してなる座本体Ｊと、この座本体Ｊを支持する座フレームＫとを備えている。
【００３１】
＜座本体Ｊ＞
座本体Ｊは、座フレームＫを介して支持体Ｂに支持されている。座本体Ｊは、略四角枠状をなす座枠４と、座枠４内に張設された張地５とを有している。座枠４、及び、張地５は熱圧成型ないし射出成型により一体的に形成されている。
【００３２】
座枠４は、前後方向に延びた左右の側座枠部４１と、左右の側座枠部４１の前端間を繋ぐ左右方向に延びた前座枠部４２と、左右の側座枠部４１の後端間を繋ぐ後座枠部４３とを備えてなるものである。
【００３３】
左右の側座枠部４１は、座フレームＫにおける枠フレーム部６の側枠フレーム部分６１によって下側から支持されるものである。左右の側座枠部４１は、左右の側枠フレーム部分６１の形状に沿うように側面視において緩やかなＳ字形状をなしている。すなわち、左右の側座枠部４１は、前端部に位置してなり側面視において前傾した姿勢をなす第一の前傾部分４１１と、第一の前傾部分４１１の後端から連設され側面視において後傾した姿勢をなす後傾部分４１２と、後傾部分４１２の後端から連設され側面視において前傾した姿勢をなす第二の前傾部分４１３とを備えている。
【００３４】
第一の前傾部分４１１は、側枠フレーム部分６１の前部６１１に下側から支持される。後傾部分４１２は、側枠フレーム部分６１の中間部６１２に下側から支持される。第二の前傾部分４１３は、側枠フレーム部分６１の後部６１３に下側から支持される。
【００３５】
前座枠部４２は、左右の側座枠部４１の前端間に架け渡されている。前座枠部４２は、枠フレーム部６の前枠フレーム部分６２に下側から支持される。
【００３６】
後座枠部４３は、枠フレーム部６の後枠フレーム部分６３に下側から支持されるものである。
【００３７】
張地５は、座枠４に張り設けられたシート状をなしている。張地５は可撓性を備えた織物により構成されており、それ自体では保形性を有しないものとなっている。張地５は、その周縁が座枠４に支持されている。換言すれば、張地５は、座枠４によって囲まれた領域に配設されている。
【００３８】
張地５は、前後方向の張力すなわち前座枠部４２と後座枠部４３とを相寄る方向に引っ張る力よりも左右方向の張力すなわち左右の側座枠部４１同士を相寄る方向に引っ張る力が強くなるように設定されている。より具体的に言えば、張地５は、左右方向に延びてなる複数の緯糸（図示せず）と、前後方向に延びてなり緯糸とは弾力特性が異なる複数の経糸（図示せず）を備えてなるものである。張地５は、緯糸の弾力特性が経糸の弾力特性よりも高く設定されている。
【００３９】
張地５の後部は、後方に向かって漸次上側に位置するように設定された弾性変形可能な着座面である後着座面５３を形成している。張地５における前後方向中央部は、後方に向かって漸次下側に位置するように設定された弾性変形可能な着座面である中央着座面５２を形成している。張地５における前部は、後方に向かって漸次上側に位置するように設定された弾性変形可能な前着座面５１を形成している。
【００４０】
この実施形態における座枠４に支持された張地５は、当該張地５のみによって、いわゆる三次元的に隆起した形態を採り得るものとなっている。換言すれば、張地５は、その周端縁よりも内側の部位に対して他の部材による外力を加えられることなく三次元的に隆起した形態を採り得るものとなっている。つまり、張地５全体は側面視において張地５を支持する側座枠部４１の形状に追従して側面視においてＳ字状に起伏する形態をなしている。これに加えて、張地５における前後方向と左右方向の張力を相違させることにより、張地５の左右方向中央部分におけるＳ字状の起伏の程度は、それよりも側座枠部４１に近い位置におけるＳ字状の起伏の程度よりも緩やかに設定されている。
【００４１】
座フレームＫは、合成樹脂により一体的に形成されている。座フレームＫは、左右の脚構成部材Ｅに鍔部ｐ１を設けた軸部材Ｐを介してそれぞれ止着しているため、左右の脚構成部材Ｅが互いに離れてしまうのを禁止するものとなっている。
【００４２】
＜座フレームＫ＞
座フレームＫは、支持体Ｂに対して軸部材Ｐを介して回動可能に支持されている。座フレームＫは、座本体Ｊを下から支持している。座フレームＫは、座本体Ｊにおける座枠４の下面に添接する枠フレーム部６と、枠フレーム部６に架設された横架フレーム部７とを備えている。
【００４３】
枠フレーム部６は、左右の側枠フレーム部分６１と、左右の側枠フレーム部分６１の前端部間を繋ぐ前枠フレーム部分６２と、左右の側枠フレーム部分６１の後端部間を繋ぐ後枠フレーム部分６３とを備えている。
【００４４】
左右の側枠フレーム部分６１には、座Ｃを回転可能に支持するための軸部材Ｐが挿通し得る軸挿通孔６１ａが設けられている。軸部材Ｐの内方端には鍔部ｐ１が形成されている。軸部材Ｐの鍔部ｐ１は側枠フレーム部分６１の内面側に添接するようになっている。枠フレーム部６は、例えば、強化ナイロン等を使用してなる剛性の高いものであり、左右の脚構成部材Ｅに直接的に取り付けられる軸部材Ｐと協働して、左右の脚構成部材Ｅが互いに離れてしまうのを禁止するものとなっている。
【００４５】
横架フレーム部７は、正面視において下方に向けて凸をなすように湾曲した形状をなすものである。横架フレーム部７は、枠フレーム部６における左右の側枠フレーム部分６１間に架設されている。横架フレーム部７は、左右の側枠フレーム部分６１から斜め下方に向かって突出した傾斜延出部分７１と、左右の傾斜延出部分７１の先端部間を左右方向の略水平に延びてなる水平横架部分７２とを備えている。水平横架部分７２の下面には、シート状の緩衝部材７３が設けられている。
【００４６】
＜＜背板Ｄ＞＞
背板Ｄは、着座者の背中に添接し得る背凭れ面を有した背板本体Ｌと、背板本体Ｌの左右の下端部から下方に向かって延出した左右の延出部Ｍとを備えてなる。背板Ｄは、左右の延出部Ｍに設けられた図示しない嵌合穴が、支持体Ｂに設けられた背板接続部Ｎに外嵌するようになっている。左右の延出部Ｍにはねじ挿通孔ｍ１が設けられており、当該ねじ挿通孔ｍ１を挿通したねじｖ１を背板接続部Ｎに螺着することにより背板Ｄが支持体Ｂに取り付けられることになる。背板Ｄは、合成樹脂により一体的に形成されている。背板Ｄは、左右の脚構成部材Ｅにそれぞれ止着され、左右の脚構成部材Ｅが互いに離れることを禁止している。
【００４７】
以上説明したように、本実施形態に係る椅子は、着座者が着座可能な使用姿勢（Ｕ）と床面に対して起立した収納姿勢（Ｓ）との間で回動可能に構成された座Ｃと、座Ｃを支持し得る支持体Ｂとを備えてなり、同一構造をなす他の椅子Ａ’を床面上において前後方向にスタッキング可能に構成したものである。そして、支持体Ｂに、スタッキング状態において後方から進入する他の椅子Ａ’の支持体Ｂが当接し当該他の椅子Ａにおける前方向の移動及び左右方向の移動を規制し得る当接傾斜面ｒを有したダンパーＧを設けている。このため、前後方向にスタッキング可能な椅子Ａにおいて、スタッキング時における緩衝機能を発揮し得るとともに他の椅子Ａ’のスタッキング姿勢を好適に保持し得る椅子Ａを提供することができるものとなる。
【００４８】
支持体Ｂが、左右に対をなす後脚１を備えたものであり、ダンパーＧが、後脚１の内面にそれぞれ取り付けられている。このため、ダンパーＧが使用者から見て目立ちにくい後脚１の内側に配置されるものとなり、所期の機能を発揮しつつ好適な外観を実現することができるものとなる。
【００４９】
当接傾斜面ｒが、内側を向いており、且つ、下方に向かって漸次外側に位置するように設定されている。このため、他の椅子Ａ’の前脚２の外面に好適に接触し得るように構成されている。
【００５０】
ダンパーＧが上下方向に延びてなる形状をなしており、当接傾斜面ｒを有した移動規制部ｇ２と、移動規制部ｇ２の下に配された緩衝部ｇ３とを備えてなり、緩衝部ｇ３が、スタッキング過程において他の椅子Ａ’における支持体Ｂに当接し得るものである。このため、ダンパーＧは、緩衝部ｇ３によって、スタッキング時における他の椅子Ａ’との瞬間的な衝突によって生じ得る衝撃や衝突音を好適に緩和し得るものとなっている。
【００５１】
ダンパーＧが、移動規制部ｇ２の上に配されてなり上端面が支持体Ｂの前脚２に設けられた下向面２２２に当接し得る位置決め部ｇ１を備えている。このため、ダンパーＧの後脚１に対する位置決めを前脚２と係り合わせることにより好適に行うことができるものとなっている。
【００５２】
なお、本発明は、以上に詳述した実施形態に限られるものではない。
【００５３】
ダンパーの当接傾斜面は、内側を向いているものには限られず、外側を向いているものであってもよい。換言すれば、ダンパーは後脚の内面側に設けられたものに限られるものではなく、前脚の外面側やジョイント部の外面側に設けられたものであってもよい。すなわち、当接傾斜面は、前側から進入した他の椅子における後方向の移動及び左右方向の移動を規制し得るものであってもよい。
【００５４】
また、当接傾斜面は、下方に向かって漸次外側に位置するように設定されているものに限られるものではなく、鉛直面又は水平面に対して傾斜したものであればよい。
【００５５】
その他、各部の具体的構成についても上記実施形態に限られるものではなく、本発明の趣旨を逸脱しない範囲で種々変形が可能である。
【符号の説明】
【００５６】
Ａ…椅子
Ａ’…他の椅子（椅子）
Ｂ…支持体
Ｃ…座
Ｇ…ダンパー
ｒ…当接傾斜面
（Ｕ）…使用姿勢
（Ｓ）…収納姿勢
【図１】
2019063167.tif 000003
【図２】
2019063167.tif 000004
【図３】
2019063167.tif 000005
【図４】
2019063167.tif 000006
【図５】
2019063167.tif 000007
【図６】
2019063167.tif 000008
【図７】
2019063167.tif 000009
【図８】
2019063167.tif 000010
【図９】
2019063167.tif 000011
【図１０】
2019063167.tif 000012
【図１１】
2019063167.tif 000013
【図１２】
2019063167.tif 000014